(57)【特許請求の範囲】
【請求項１】
頂部に取水口が設けられて底部に排水口が設けられたボックスと、そのボックス内で横方向及び縦方向に配列された複数の栽培セルとを有していて、該ボックス内にそれら栽培セルが固定的に結合されており、各栽培セルの底には貯水溝が設けられ、該栽培セルの壁は光透過性を有しており、横方向に配列された各横列の互いに隣接する栽培セルの壁にはスリットが開設されると共に、縦方向に配列された各縦列の互いに隣接する栽培セルの壁にもまたスリットが開設されていて、それにより互いに隣接する２つの栽培セルが相互に連通されており、上記栽培セルの各縦列の底部には底層セルが配設されていて、該底層セルとその上層の隣接する栽培セルとの間に位置するセル壁には、それらセルを相互に連通させるスリットが開設されている、
ことを特徴とする一体型垂直緑化モジュール。
【請求項２】
上記ボックスの頂部の取水口が取水ノッチの複数のグループから成り、該取水ノッチの各グループが、上記ボックスの頂部の下側に配された栽培セルにそれぞれ対応している、
ことを特徴とする請求項１に記載の一体型垂直緑化モジュール。
【請求項３】
上記栽培セルは楕円形体である、
ことを特徴とする請求項２に記載の一体型垂直緑化モジュール。
【請求項４】
上記底層セルは半楕円形体である、
ことを特徴とする請求項２に記載の一体型垂直緑化モジュール。
【発明の詳細な説明】
【技術分野】
【０００１】
本発明は造園および園芸に関連する装置に関し、より具体的には、壁面の緑化を行う一体型垂直緑化モジュールに関する。
【背景技術】
【０００２】
本発明者は２００９年３月１７日に「垂直緑化モジュール」という発明の特許出願（中国出願番号：２００９１００２６０１２．０）を行った。当該緑化モジュールは主にボックスとインサートとから構成されており、該インサートは垂直方向に延びる少なくとも一つの垂直仕切板から成っていて、該垂直仕切板が複数の平行な水平仕切板を互いに一定間隔を保った傾斜姿勢で固定的に結合している。そして、該インサートは上記ボックスの側壁に形成された挿入溝を通じて該ボックス内に挿し込まれている。また、上記インサートとボックス底面との間には植物成長マットが配置されている。
【０００３】
上述の特許出願の技術は、ボックスと該ボックスに挿入された垂直仕切板及び水平仕切板とから構成されている従来の緑化モジュールに比べて、明らかに優位性を有している。すなわち、垂直仕切板と水平仕切板とを一体型の完全なインサートとすることで、それら仕切板の変形を大いに減少させることができ、一つの完全なインサートであるため、複数のインサートの組立て品に比べて非常に便利であり、組立てスピードも早くなる。そして、植物成長マットを使用することにより、流水による水や植物成長媒質の流失を阻止することができ、また、植物の根に対し送水したり、貯水したり、通気層を供給したりする機能をも提供することができる。
【０００４】
しかし、上述の緑化モジュールは、依然として組立て品であるため、上記インサートが、垂直仕切板と水平仕切板とを一体化させて全体の変形を減少させたとしても、長期間の使用後、上記垂直仕切板と水平仕切板がやはり多かれ少なかれ変形し、インサートのボックス内での連結の妨げとなり、その結果、作業効率に影響を及ぼすという問題点を未だ有している。また、栽培セルは縦横に隙間なく配置されているため、各栽培セルは正面から光を受けるのみで、その他の面からは光を受けることができない。さらに、植物成長マットには貯水機能があるけれども、短期間しか保水することができないため、湿潤環境で成長する植物には役に立たない。
【発明の概要】
【発明が解決しようとする課題】
【０００５】
本発明の目的は、上述した従来技術の問題点を克服し、栽培セルが多方向から光を受けることができ、セル底部に貯水して保湿することが可能な一体型垂直緑化モジュールを提供することであり、以下に述べる技術により実現される。
【課題を解決するための手段】
【０００６】
本発明のモジュールは、頂部に取水口が設けられて底部に排水口が設けられたボックスと、そのボックス内で横方向及び縦方向に配列された複数の栽培セルとを有していて、該ボックス内にそれら栽培セルが固定的に結合されており、各栽培セルの底には貯水溝が設けられ、該栽培セルの壁は光透過性を有しており、横方向に配列された各横列の互いに隣接する栽培セルの壁にはスリットが開設されると共に、縦方向に配列された各縦列の互いに隣接する栽培セルの壁にもまたスリットが開設されていて、それにより互いに隣接する２つの栽培セルが相互に連通されており、上記栽培セルの各縦列の底部には底層セルが配設されていて、該底層セルとその上層の隣接する栽培セルとの間に位置するセル壁には、それらセルを相互に連通させるスリットが開設されていることを特徴とする。
【０００７】
また本発明においては、上記ボックスの頂部の取水口が取水ノッチの複数のグループから成り、該取水ノッチの各グループが、上記ボックスの頂部の下側に配された栽培セルにそれぞれ対応している。
【０００８】
更に本発明によると、上記栽培セルは楕円形体である。
【０００９】
更に本発明によると、上記底層セルは半楕円形体である。
【発明の効果】
【００１０】
本発明に係る緑化モジュールのボックス及び栽培セルは、一体成型法により固定的に結合されているため、インサートとボックスとを組立てる必要性がなく、それによって作業効率を向上させることができる。
【００１１】
本発明においては、各栽培セルのセル壁の周囲四方に透光通気セルを設けることにより、栽培セルが正面から光を受けるばかりでなく、周囲四方からも光を受けることを可能とし、栽培セル内の植物に更に十分な光を与えて、更に充分な光合成を行わせ、植物を有利に成長・繁殖させることができる。また同時に、上記透光通気セルにより、日光を壁に照射させることができると共に、モジュールが掛けられた壁に対する通気を十分に確保することができるため、建築物が湿気により腐食するのを防止することができる。
【００１２】
本発明における貯水溝は、栽培セル内に水分と養分を十分に蓄えることができ、植物の成長に必要な水分を確保することができる。大量の水が流入すると、栽培セルの壁に設けられた横方向のスリット２１ｂを通じて水が迅速に分配されて、過剰な水に植物が浸かって腐るのを防止する。しかも、栽培セルの壁の縦方向のスリット２１ａにより、モジュール内に流入した水を均一に分配することができる。
【００１３】
本発明における底層セルは、植物成長媒質や養分の流出を防止して、土壌や水の流失を抑制することができ、併せて、モジュール全体の支えとなって、モジュール全体が変形するのを防止することができる。
【図面の簡単な説明】
【００１４】
【図１】本発明の構造を示す図である。
【図２】図１に示した本発明の構造の左側面図である。
【図３】図２に示した本発明の構造の平面図であってＤ方向の拡大図である。
【図４】図１に示した本発明の構造の平面図である。
【図５】図１に示した本発明の構造を示す図のＭ−Ｍ断面図である。
【図６】図１に示した本発明の構造を示す図のＮ−Ｎ断面図である。
【図７】円形体の栽培セルを備えた緑化モジュールの構造を示す図である。
【図８】八角形体の栽培セルを備えた緑化モジュールの構造を示す図である。
【発明を実施するための形態】
【００１５】
図１及び図２が示すように、本発明の緑化モジュールはボックス１０を含んでいる。ボックス１０の正面と背面は長方形に形成されており、左右の側面は基本的に平行四辺形に形成されている。上記ボックスの頂部にある取水口は、天板１１に開設された取水ノッチ１２の複数のグループから成っており、各グループは、その下側に配置された栽培セルに対応する３つの取水ノッチ１２を有している。対称な取付溝１３がそれぞれ左右の側面に設けられており、該取付溝１３の底部には緑化モジュールを固定するための孔１４が設けられている（図３参照）。取付溝１３は、ネジを出し入れするための操作用スペースを提供する。緑化モジュールは、その背面にある位置決め溝１５により、壁に設けた位置決め板上に位置決めされ、孔１４を通じてネジでその壁の位置決め板上に固定される。
【００１６】
本発明に係る緑化モジュールは、紫外線耐性を有し、無公害性で、再生利用可能なＰＥ材料を用いて一体成型される。そのため、栽培セル２０がボックス１０内に固定的に結合されていて、組立てを必要としない。上記緑化モジュールはそのまま使用できる状態にあるため、組立工程を省き、作業効率を向上させることができる。
【００１７】
ボックス１０内には、２５個の栽培セル２０が横方向と縦方向とに配列されている。各栽培セル２０は楕円形体で、ボックス内で正面側に向かって高くなり背面側に向かって低くなるように傾斜配置されており、各栽培セル２０の底にはそれぞれ４つの貯水溝２２が設けられている（図５を参照）。横方向に配列された５個の栽培セルから成る各横列については、互いに隣接する栽培セルの壁にスリット２１ｂが開設されていて、それにより横方向に隣接する２つの栽培セルを相互に連通させている。同様に、縦方向に配列された５個の栽培セルから成る各縦列については、互いに隣接する栽培セルの壁にスリット２１ａが開設されていて、それにより縦方向に隣接する２つの栽培セルを相互に連通させている。縦方向のスリット２１ａの幅は約１〜２ｍｍであり、通常は水だけを通し、植物成長媒質の流出はほとんどない。
【００１８】
各栽培セルのセル壁の周囲四方には、中空構造の透光通気セル３０がそれぞれ配置されている（図６を参照）。栽培セルは正面から直接的に光を受けるばかりでなく、セル壁を透過した光によっても栽培セル２０の内部が照らされ、栽培セル内の植物に更に十分な光を与えて、更に充分な光合成を行わせ、植物を有利に成長・繁殖させることができる。また、該透光通気セルの構造により、それを通じて日光をモジュールの背後にある壁にも照射させることができると共に、風をモジュールが掛けられている壁に到達させることができるため、建築物の湿気による腐食を防止することができる。
【００１９】
栽培セルの各縦列の底部には底層セル４０が配設されている。該底層セルは半楕円形体で、栽培セルと同様に、ボックス内で正面側に向かって高くなり背面側に向かって低くなるように傾斜配置されている。そして、該底層セル４０とその上層の隣接する栽培セル２０との間に位置するセル壁には、それらセルを相互に連通させるスリット２１ａが開設されている。底層セル４０は、植物成長媒質や流出を防止して、水、養分及び植物成長媒質の流失を抑制することができ、併せて、モジュール全体の支えとなって、モジュール全体が変形するのを防止することができる。
【００２０】
垂直の壁面に対して緑化を行う際には、複数の緑化モジュールを互いに隙間なく配置させて壁面上に固定する。それから栽培セル内に成長媒質を充填し、相応の灌水システムをインストールする。水は本モジュールの天板１１の取水ノッチ１２から流れ込んで、栽培セルの壁の縦方向のスリット２１ａを通じて下層の栽培セルに流入する。各栽培セルに流入した水の一部は貯水溝２２内に蓄えられ、その水によって栽培セル内の植物成長媒質を長時間湿潤状態に維持することができる。そして最後に余分な水は底層セル４０に流入して、そこからあふれた水が上記排水口１６から排出される。
【００２１】
ある栽培セルが過剰な水で満たされた場合には、その水が横方向のスリット２１ｂを通じて隣接する栽培セルに流れ込んで、流入した大量の水が迅速に分配されることにより、過剰な水に栽培セル内の植物が浸かって腐るのを防止する。同様に、横方向のスリット２１ｂの幅は１〜２ｍｍに過ぎず、水だけを通し、土壌をほとんど流出させない。
【００２２】
例えば図７及び図８に示されるように、栽培セル及び透光通気セルは、円形体の栽培セルや八角形体の栽培セル、及び、それらに対応するそれぞれの透光通気セルのように、他の形態のものに設計することもできる。したがって、本発明は上述の実施形態に限定されるものではない。
【符号の説明】
【００２３】
１０  ボックス
１１  天板
１２  取水ノッチ
１３  取付溝
１４  孔
１５  位置決め溝
１６  排水口
２０  栽培セル
２１ａ，２１ｂ  スリット
２２  貯水溝
３０  透光通気セル
４０  底層セル
【図１】
0005426014.tif 000002
【図２】
0005426014.tif 000003
【図３】
0005426014.tif 000004
【図４】
0005426014.tif 000005
【図５】
0005426014.tif 000006
【図６】
0005426014.tif 000007
【図７】
0005426014.tif 000008
【図８】
0005426014.tif 000009